【手続補正書】
【提出日】平成27年6月4日(2015.6.4)
【手続補正１】
【補正対象書類名】特許請求の範囲
【補正対象項目名】全文
【補正方法】変更
【補正の内容】
【特許請求の範囲】
【請求項１】
アブレーション手技中に身体の組織内で心筋の気圧性外傷事象を検出するためのシステムであって、
電子制御ユニット（ＥＣＵ）と、
前記ＥＣＵと結合されたコンピュータ読み取り可能なメモリと、
前記メモリ内に保存されており、前記ＥＣＵによって実行されるように構成されている検出ロジックと、を備え、
前記検出ロジックは、
身体の内部の音響的活動を表した電気信号を受け取ること、
心筋の気圧性外傷事象の所定の兆候に関して前記信号を監視すること、
前記所定の兆候が検出されたときに通知出力を生成すること、
を行うように構成されている、システム。
【請求項２】
前記検出ロジックはさらに、前記信号に増幅アルゴリズムを適用するように構成されており、
前記増幅アルゴリズムは、前記所定の兆候の発生を増幅するように構成されている、請求項１に記載のシステム。
【請求項３】
前記ＥＣＵと結合された保存メモリをさらに備え、
前記検出ロジックはさらに、前記所定の兆候が検出されたときに気圧性外傷事象に関連するデータを前記保存メモリ内に保存するように構成されている、請求項１又は２に記載のシステム。
【請求項４】
前記データは、前記信号のうちの前記気圧性外傷事象発生前の第１の時点で始まりかつ前記気圧性外傷事象発生後の第２の時点で終わる一部分を備える、請求項３に記載のシステム。
【請求項５】
前記所定の兆候は、約３ミリ秒以下の持続時間を有する、請求項１〜４のいずれか一項に記載のシステム。
【請求項６】
前記通知出力は、視覚的通知を備える、請求項１〜５のいずれか一項に記載のシステム。
【請求項７】
前記視覚的通知は、前記信号の表示を備える、請求項６に記載のシステム。
【請求項８】
前記通知出力は、音響式通知を備える、請求項１〜５のいずれか一項に記載のシステム。
【請求項９】
前記メモリ内に保存されており、前記ＥＣＵによって実行されるように構成されているアブレーション・ロジックをさらに備えており、
前記アブレーション・ロジックは、前記所定の兆候が検出されたときにアブレーション発生機を無効化するように構成されている、請求項１〜８のいずれか一項に記載のシステム。
【請求項１０】
患者の身体の外部に結合されるように構成されている１つまたは複数のパッチおよびこの身体の内部に配置されるように構成されている細長い医用デバイスと、
前記１つまたは複数のパッチおよび細長い医用デバイスにそれぞれ結合されている１つまたは複数の電気音響式トランスデューサと、を備え、
前記電気音響式トランスデューサは、気圧性外傷事象を表した電気信号を電子制御ユニット（ＥＣＵ）に提供するように構成されている、装置。
【請求項１１】
前記トランスデューサのうちの少なくとも１つは、前記細長医用デバイスに結合されている、請求項１０に記載の装置。
【請求項１２】
前記トランスデューサは、少なくとも約１０００ヘルツのサンプリング・レートを有するディジタル式聴診器を備える、請求項１０又は１１に記載の装置。
【請求項１３】
前記電気音響式トランスデューサは、前記パッチと結合されており、
前記パッチは、電極を備える、請求項１０〜１２のいずれか一項に記載の装置。
【請求項１４】
前記トランスデューサと前記パッチの少なくとも一部分との間に配置されたバリアをさらに備え、
前記バリアは、前記トランスデューサを前記パッチから電気的に隔絶させるように構成されている、請求項１３に記載の装置。
【請求項１５】
前記トランスデューサと電気的に結合された信号処理ハードウェアをさらに備え、
前記ハードウェアは、前記トランスデューサが発生した第１の信号を受け取り、第２の信号を生成するために前記第１の信号に対して処理機能を実行し、かつ前記第２の信号をＥＣＵに提供するように構成されている、請求項１０〜１４のいずれか一項に記載の装置。
【請求項１６】
アブレーション手技中に身体の組織内で心筋の気圧性外傷事象を検出するためのコンピュータ実行式の方法であって、
身体の内部の音響的活動を表した電気信号を受け取るステップと、
心筋の気圧性外傷事象の所定の兆候に関して前記信号を監視するステップと、
前記所定の兆候が検出されたときに通知出力を生成するステップと、を備える方法。
【請求項１７】
前記信号を処理するステップをさらに備え、
前記処理ステップは、前記信号に低域通過フィルタを適用することを含む、請求項１６に記載の方法。
【請求項１８】
前記適用することは、前記信号から約５キロヘルツを超える周波数をフィルタ処理することを含む、請求項１７に記載の方法。
【請求項１９】
前記信号を処理するステップをさらに備え、
前記処理ステップは、前記信号に対して前記所定の兆候の発生を増幅するように構成された増幅アルゴリズムを適用することを含む、請求項１６に記載の方法。
【請求項２０】
前記所定の兆候が検出されたときに気圧性外傷事象に関連するデータを保存するステップをさらに備える、請求項１６〜１９のいずれか一項に記載の方法。
【手続補正２】
【補正対象書類名】明細書
【補正対象項目名】００９５
【補正方法】変更
【補正の内容】
【００９５】
本明細書中に参照により援用されると称される、いかなる特許、出版物、もしくはその他の開示マテリアルは全体として又はその一部として組み込まれたマテリアルは、既存の定義、ステートメント、または本明細書おけるその他の開示マテリアルと競合しない範囲においてのみ、参照により本明細書に組み込まれる。また、必要な範囲内において、本明細書に明示的に記載した開示は、本明細書に参照により組み込まれる全てのマテリアルよりも優先される。任意のマテリアル、またはその部分は、参照により本明細書に援用されると称されるが、既存の定義、記述、または本明細書に記載の他の開示マテリアルとその組み込まれたマテリアルとの間に衝突が生じない程度に組み入れるものとする。
以下の項目は、国際出願時の特許請求の範囲に記載の要素である。
（項目１）
アブレーション手技中に身体の組織内で心筋の気圧性外傷事象を検出するためのシステムであって、
電子制御ユニット（ＥＣＵ）と、
前記ＥＣＵと結合されたコンピュータ読み取り可能なメモリと、
前記メモリ内に保存されており、前記ＥＣＵによって実行されるように構成されている検出ロジックと、を備え、
前記検出ロジックは、
身体の内部の音響的活動を表した電気信号を受け取ること、
心筋の気圧性外傷事象の所定の兆候に関して前記信号を監視すること、
前記所定の兆候が検出されたときに通知出力を生成すること、
を行うように構成されている、システム。
（項目２）
前記検出ロジックはさらに、前記信号に増幅アルゴリズムを適用するように構成されており、
前記増幅アルゴリズムは、前記所定の兆候の発生を増幅するように構成されている、項目１に記載のシステム。
（項目３）
前記ＥＣＵと結合された保存メモリをさらに備え、
前記検出ロジックはさらに、前記所定の兆候が検出されたときに気圧性外傷事象に関連するデータを前記保存メモリ内に保存するように構成されている、項目１に記載のシステム。
（項目４）
前記データは、前記信号のうちの前記気圧性外傷事象発生前の第１の時点で始まりかつ前記気圧性外傷事象発生後の第２の時点で終わる一部分を備える、項目３に記載のシステム。
（項目５）
前記所定の兆候は、約３ミリ秒以下の持続時間を有する、項目１に記載のシステム。
（項目６）
前記通知出力は、視覚的通知を備える、項目１に記載のシステム。
（項目７）
前記視覚的通知は、前記信号の表示を備える、項目６に記載のシステム。
（項目８）
前記通知出力は、音響式通知を備える、項目１に記載のシステム。
（項目９）
前記メモリ内に保存されており、前記ＥＣＵによって実行されるように構成されているアブレーション・ロジックをさらに備えており、
前記アブレーション・ロジックは、前記所定の兆候が検出されたときにアブレーション発生機を無効化するように構成されている、項目１に記載のシステム。
（項目１０）
患者の身体の外部に結合されるように構成されている１つまたは複数のパッチおよびこの身体の内部に配置されるように構成されている細長い医用デバイスと、
前記１つまたは複数のパッチおよび細長い医用デバイスにそれぞれ結合されている１つまたは複数の電気音響式トランスデューサと、を備え、
前記電気音響式トランスデューサは、気圧性外傷事象を表した電気信号を電子制御ユニット（ＥＣＵ）に提供するように構成されている、装置。
（項目１１）
前記トランスデューサのうちの少なくとも１つは、前記細長医用デバイスに結合されている、項目１０に記載の装置。
（項目１２）
前記トランスデューサは、少なくとも約１０００ヘルツのサンプリング・レートを有するディジタル式聴診器を備える、項目１０に記載の装置。
（項目１３）
前記電気音響式トランスデューサは、前記パッチと結合されており、
前記パッチは、電極を備える、項目１０に記載の装置。
（項目１４）
前記トランスデューサと前記パッチの少なくとも一部分との間に配置されたバリアをさらに備え、
前記バリアは、前記トランスデューサを前記パッチから電気的に隔絶させるように構成されている、項目１３に記載の装置。
（項目１５）
前記トランスデューサと電気的に結合された信号処理ハードウェアをさらに備え、
前記ハードウェアは、前記トランスデューサが発生した第１の信号を受け取り、第２の信号を生成するために前記第１の信号に対して処理機能を実行し、かつ前記第２の信号をＥＣＵに提供するように構成されている、項目１０に記載の装置。
（項目１６）
アブレーション手技中に身体の組織内で心筋の気圧性外傷事象を検出するためのコンピュータ実行式の方法であって、
身体の内部の音響的活動を表した電気信号を受け取るステップと、
心筋の気圧性外傷事象の所定の兆候に関して前記信号を監視するステップと、
前記所定の兆候が検出されたときに通知出力を生成するステップと、を備える方法。
（項目１７）
前記信号を処理するステップをさらに備え、
前記処理ステップは、前記信号に低域通過フィルタを適用することを含む、項目１６に記載の方法。
（項目１８）
前記適用することは、前記信号から約５キロヘルツを超える周波数をフィルタ処理することを含む、項目１７に記載の方法。
（項目１９）
前記信号を処理するステップをさらに備え、
前記処理ステップは、前記信号に対して前記所定の兆候の発生を増幅するように構成された増幅アルゴリズムを適用することを含む、項目１６に記載の方法。
（項目２０）
前記所定の兆候が検出されたときに気圧性外傷事象に関連するデータを保存するステップをさらに備える、項目１６に記載の方法。